(57)【要約】【課題】圧力炊飯機の衛生、安全性、使用利便性を改善すること。【解決手段】本考案は、内部に食べ物が保存される内釜；内釜が収容される収容部が具備され、制御部及び加熱装置が具備された本体；そして補助カバー部と、補助カバー部の片側に自動的な加圧によって前後移動が可能になるよう弾性の力が支えられる伝達部材と、伝達部材の前後移動によって回動されるように補助カバー部の内部に回動可能な状態で繋がれたレバーと、内釜内部の蒸気が排出されるようにふたに具備される蒸気排出管を自動的に開閉させるようレバーの回動にしたがって連動されるプランジャーを含む蒸気排出装置が上部に具備されて、内釜の上部を覆って本体と装着と脱装が可能に具備されたふた；を含んでいることを特徴とする圧力炊飯機を提供する。【選択図】図６
0003124241.tif 000002
【実用新案登録請求の範囲】
【請求項１】
内部に食べ物が保存される内釜；
内釜が収容される収容部が具備されて、制御部及び加熱装置が具備された本体；
そして補助カバー部と補助カバー部の片側に選択的な加圧によって前後移動が可能になるように弾性の力が支えられる伝達部材と、伝達部材の前後移動によって回動されるように補助カバー部内部に回動可能に繋がれたレバーと、内釜の内部の蒸気が排出されるようにふたに具備される蒸気排出管を選択的に開閉させるようにレバーの回動にしたがって連動されるプランジャーを含む蒸気排出装置が上部に具備されて、内釜の上部を覆って本体と装着脱装可能に具備されたふた
を含んでいることを特徴とする圧力炊飯機。
【請求項２】
伝達部材の一端は補助カバー部から露出するように配置されることを特徴とする、請求項１に記載の圧力炊飯機。
【請求項３】
ふた及び内釜の間には密閉のためのカバーパッキングが具備されて、ふた及び内釜は結合された状態で収容部から分離可能に具備されることを特徴とする、請求項２に記載の圧力炊飯機。
【請求項４】
本体には制御部と電気的に繋がれて自動的に直線移動される作動棒を持つソレノイドが具備され、作動棒は伝達部材を自動的に前進/後退させるように向き合って配置されることを特徴とする、請求項２に記載の圧力炊飯機。
【請求項５】
作動棒が前進して伝達部材を通じてレバーの片側を加圧して回動させれば、レバーの他端が上昇しながらプランジャーを上昇させて、プランジャー下端に具備されたシーツ部が蒸気排出管を開放させることを特徴とする、請求項４に記載の圧力炊飯機。
【請求項６】
蒸気排出管と向き合う部分の補助カバー部にはプランジャーの移動を誘導するホルダーが具備されて、ホルダーとプランジャーの隙間を通じて蒸気が補助カバー部の内側に流入することを防止するようにプランジャーの端部とホルダーの間にはダイヤフラムが介在されることを特徴とする、請求項１に記載の圧力炊飯機。
【請求項７】
プランジャーの下端には蒸気排出管と自動的に接触されて密閉させるシーツ部が具備されることを特徴とする、請求項１に記載の圧力炊飯機。
【請求項８】
片側にレバーを回動可能に支える回動軸が結合されるように、補助カバー部内側上部で突き出された装着台が具備されることを特徴とする、請求項１に記載の圧力炊飯機。
【請求項９】
プランジャーは補助カバー部に具備されたホルダー内側に介在されたプランジャースプリングによって蒸気排出管が閉鎖される方向に弾性の力が支えられて、伝達部材は伝達部材スプリングによってレバーの片側から後退する方向に弾性の力が支えられることを特徴とする、請求項１に記載の圧力炊飯機。
【請求項１０】
プランジャーの上端部は十分な長さを持って段差になるように形成されて、上端部はレバーの他側に形成されたホールに挿入されて、上端部の対面には上下移動の時、レバーの離脱を防止してプランジャーの下降の時、レバーと接触されてレバーを下降させる固定口が結合されることを特徴とする、請求項９に記載の圧力炊飯機。
【請求項１１】
ふたには開閉錘が乗せられた開閉錘蒸気排出管が具備されて、内釜内部が一定圧力以上の場合、開閉錘の蒸気排出穴が開放されることを特徴とする、請求項１に記載の圧力炊飯機の蒸気排出装置。
【請求項１２】
蒸気排出管を通じて排出される蒸気の方向を一方向に誘導するよう補助カバー部には、誘導路が形成されるが、誘導路は、排出される蒸気が上側を向くよう形成されることを特徴とする、請求項１に記載の圧力炊飯機の蒸気排出装置。
【考案の詳細な説明】
【技術分野】
【０００１】
本考案は圧力炊飯機に関し、特に圧力炊飯機の内釜に充填された高温高圧の蒸気を圧力炊飯機の外部に排出させる圧力炊飯機の蒸気排出装置に関する。
【背景技術】
【０００２】
一般的に、圧力炊飯機は内釜内部を加熱して高温高圧の状態で作り、食べ物を調理する機器である。ここで、内釜内部の圧力が過度に上昇することによって爆発などの事故発生を防止するため、内釜内部で食べ物の調理の際、発生した高温及び高圧の蒸気を排出して内釜の内部圧力を一定圧力に維持する必要がある。
【０００３】
従来の圧力炊飯機は、炊事が終了すればふた部に装着された開閉錘を片側に傾くようにして開閉錘と開閉錘蒸気排出管の間の蒸気排出通路を作り、内部の蒸気を排出するか、別途の自動蒸気排出用ソレノイドバルブをふたに装着して炊事終了の時、制御機の電気的な制御によってバルブを開放して内部蒸気を排出するようになっている。
【０００４】
以下、 開閉錘を使う場合とソレノイドバルブを使う場合の従来技術による圧力炊飯機及びその問題点を説明する。
【０００５】
図１は従来技術による開閉錘を使って蒸気を排出する圧力炊飯機の断面図であり、図２及び図３は上記開閉錘が開かれて閉まった場合を現わした要部拡大図である。
【０００６】
図１で見るように、従来の圧力炊飯機は本体（１０）、内釜（２０）、ふた（３０）、内釜（２０）内部を密閉させるカバーパッキング（３３）、開閉錘（３１）、開閉錘蒸気排出管（３２）、開閉錘（３１）と連動されるように装着された蒸気排出装置（４０）、蒸気排出装置（４０）と連動されるように装着された本体のソレノイド（１３）を含んでいる。
【０００７】
図２及び図３で見るように、食べ物の調理中には、内釜（２０）内部の圧力によって開閉錘（３１）が開閉錘蒸気排出管（３２）から持ち上げられることで内釜（２０）内部の蒸気が排出されるようにして、内釜（２０）内部の圧力を一定の水準に維持することができる。
【０００８】
さらに、圧力炊飯機の内釜（２０）に収容された食べ物の調理が終了すれば、制御部（１１）からソレノイド（１３）を制御してソレノイド作動棒（１４）が圧力炊飯機ふた（３０）の片側に装着された蒸気排出装置（４０）に形成されたレバー（６０）の端で下降しレバー（６０）の端が下降されるようにする。
【０００９】
この時、蒸気排出装置（４０）の装着台（６２）に回動軸（６１）を軸に回転可能に装着されたレバー（６０）の先端がレバー（６０）の端と反対方向に回動しながら上昇する。これを通じて、レバー（６０）の先端が上昇すると共にレバー（６０）の先端が接触した開閉錘（３１）の片側端が上昇し、開閉錘（３１）が蒸気排出管（３２）を中心に傾く。それとあわせ、蒸気排出管（３２）の上側の開口部に挟まれた開閉錘（３１）の先端部が開口部で離脱されながら蒸気排出管（３２）の上面開口部が開放される。内釜（２０）に充填された残留蒸気が食べ物の調理終了と共に自動的に排出される。蒸気排出管（３２）を通じて排出される蒸気は開閉錘（３１）内部の空間を通ってふたの上側方向に方向を変えて排出される。
【００１０】
しかし、排出される高温高圧の蒸気の方向はふた（３０）の上面を向くので、ふた上面の汚れを惹起させる問題点があった。また、蒸気の排出方向が一定的でなく使用者の誤使用の時はやけどの恐れのある問題点があった。
【００１１】
さらに、内部蒸気の排出管路が一つに限られるので、排出管路が異物により詰まる場合、蒸気が排出されることができない事による内釜内部に過度な圧力が形成されることで爆発危険と共に製品の安全性に大きな問題点を示している。
【００１２】
一方、図４は従来技術によるソレノイドバルブを使って蒸気を排出させる圧力炊飯機の断面図であり、図５は上記ソレノイドバルブが開かれた場合を示した要部拡大図である。
【００１３】
図４及び図５で見るように、従来の圧力炊飯機は本体（１１０）、ふた（１３０）、内釜内部を密閉させるカバーパッキング（１３３）、開閉錘（１３１）、蒸気排出管（１３２）、制御機（１１１）、連結電線（１１２）、蒸気排出用ソレノイドバルブ（１４０）を含んでいる。ここで、圧力炊飯機のふた（１３０）に装着されたソレノイドバルブ（１４０）が自動的に開放され、内釜（１２０）内部の蒸気が排出されるようにする。
【００１４】
このような圧力炊飯機で、食べ物を調理する時には、開閉錘（１３１）は圧力炊飯機内部の圧力を一定的に維持させて、食べ物の調理完了の時には、本体（１１０）に具備された制御機（１１１）と連結電線（１１２）で繋がれたふた（１３０）の蒸気排出用ソレノイドバルブ（１４０）が制御機（１１１）の電気的信号によって開放され、内釜に充填された蒸気が自動的に排出されるようになっている。
【００１５】
ソレノイドバルブ（１４０）は、ふた（１３０）の上面に固定口（１６８）に固定されて装着され、本体（１１０）に具備された制御機（１１１）と電気的な連結のため、連結電線（１１２）で繋げる。制御機（１１１）の電気的信号によって動作するソレノイドバルブ（１４０）は内釜（１２０）内部の蒸気を選択的に排出させる。
【００１６】
しかし、このような構造の圧力炊飯機は連結電線（１１２）で繋げたふた（１３０）と本体（１１０）を完全に分離しにくい問題点があり、ふた（１３０）に別途の充電部が具備されるのでふた（１３０）自体を水洗いすることができない問題点があった。
【００１７】
このような分離及び水洗いの不可能な問題点によって、ふた（１３０）に装着された蒸気排出用ソレノイドバルブ（１４０）連結部の隙間またはカバーパッキング（１３３）、開閉錘（１３１）及び蒸気排出管（１３２）の隙間などと共に、ふたに存在する隙間に汚れ、その他の食べ物が付着して変質する恐れがあり、調理食べ物と直接接触するふた（１３０）の衛生に大きな問題点があった。
【考案の開示】
【考案が解決しようとする課題】
【００１８】
上記のような問題点を解決するため、本考案の目的は製品の利便性と安全性を高めることと共に製品本体とふたを分離可能にし、ふたの水洗いも可能にして製品の衛生状態を清潔に維持するようにすることである。
【００１９】
本考案の他の目的は圧力調理の時、専用加熱装置以外のガス火または他のキッチン加熱器機を利用して調理が可能になるようし、受動蒸気排出が可能にすることで使用者の調理利便性を高めることである。
【課題を解決するための手段】
【００２０】
上記の目的を果たすため、本考案は、内部に食べ物が保存される内釜；内釜が収容される収容部が具備されて、制御部及び加熱装置が具備された本体；そして補助カバー部と、補助カバー部の片側に自動的な加圧によって前後移動が可能になるように弾性の力が支えられる伝達部材と、伝達部材の前後移動によって回動するように補助カバー部内部に回動可能に繋がれたレバーと、内釜内部の蒸気が排出するようにふたに具備される蒸気排出管を自動的に開閉させ、レバーの回動によって連動されるプランジャーを含む蒸気排出装置が上部に具備されていて内釜の上部を覆って本体と装着脱装可能に具備されたふた；を含んでいることを特徴とする圧力炊飯機を提供する。
【００２１】
ここで、伝達部材の一端は補助カバー部から露出するように配置されることが望ましい。ふた及び内釜の間には密閉のためのカバーパッキングが具備されており、ふた及び内釜は結合された状態で収容部から分離可能に具備されることが望ましい。
【００２２】
さらに、本体には制御部と電気的に繋がれて自動的に直線移動される作動棒を持つソレノイドが具備されて、作動棒は伝達部材を自動的に前進/後退させるよう向かい合わせて配置することが望ましい。作動棒が前進されて伝達部材を通じてレバーの片側を加圧して回動させれば、レバーの他端が上昇しながらプランジャーを上昇させて、プランジャー下端に具備されたシーツ部が蒸気排出管を開放させることができる。
【００２３】
一方、蒸気排出管と向かい合う部分の補助カバー部にはプランジャーの移動を誘導するホルダーが具備されており、ホルダーとプランジャーの隙間を通じて蒸気が補助カバー部の内側に流入することを防止するようにプランジャーの端部とホルダーの間にはダイヤフラムが介在されることが望ましい。
【００２４】
ここで、プランジャーの下端には蒸気排出管と選択的に接続されて密閉させるシーツ部が具備されることが望ましい。また、片側にレバーを回動可能に支える回動軸が結合されるように、補助カバー部内側上部で突き出された装着台が具備されることが望ましい。
【００２５】
そして、プランジャーは補助カバー部に具備されたホルダー内側に介在されたプランジャースプリングによって蒸気排出管が閉鎖される方向に弾性の力が支えられて、伝達部材は伝達部材スプリングによってレバーの片側から後退する方向に弾性の力が支えられることが望ましい。ここで、プランジャーの上端部は十分な長さを持って段差になるように形成されて、上端部はレバーの他の側に形成されたホールに挿入されて、上端部の対面には上下移動の時、レバーの離脱を防止してプランジャーの下降の時、レバーと接触されてレバーを下降させる固定口が結合されることが望ましい。
【００２６】
また、ふたには開閉錘が乗せられた開閉錘蒸気排出管が具備されており、内釜の内部が通常の圧力以上の場合、開閉錘の蒸気排出穴が開放されることが望ましい。
【００２７】
そして、蒸気排出管を通じて排出される蒸気の方向を一方向に誘導するように補助カバー部には誘導路が形成されるが、誘導路は排出される蒸気が上側を向くように形成されることが望ましい。
【考案の効果】
【００２８】
前述したように、本考案による圧力炊飯機の蒸気排出装置は次のような効果を持つ。
【００２９】
第一、圧力炊飯機のふたに内部圧力を調節する開閉錘と別途の蒸気排出装置が装着されて製品の安全性を高め、蒸気排出装置はふたに設置された単純な部品と本体に設置されたソレノイドを含んだ電気的な部品で分離し、具備されることで圧力炊飯機の本体とふたが分離可能になって、ふたの装着・脱装及び交換は勿論、圧力調理及び多様な非圧力調理も可能になるようにできる。
【００３０】
第二、ふたの充電部を無くすことで電気的な部品の故障心配はなく、ふた自らの自由な水洗いを可能にし、常時食べ物との接触があるふたの衛生及び安全性を著しく改善することができる。これと共に、内釜及びふたが本体から分離した状態で外部に露出する伝達部材の受動操作を通じて蒸気排出が可能にさせることで、本体に具備された専用加熱機器以外の他のキッチン用の加熱器機やガス火でも圧力調理ができるようになり使用者の利便性を高めることができる。
【００３１】
第三、ふたに具備された蒸気排出管を自動的に開閉させるプランジャー及びシーツ部内側がダイヤフラムによって密閉されることで補助カバー部内側で蒸気がこもることを防止して掃除及び衛生管理がしやすいようにする。さらに、蒸気排出装置の蒸気排出口が上方に向くように補助カバー部内部の誘導路を形成することで蒸気が多方向に排出されて使用者がやけどをすることを防止することができる。
【００３２】
以下、添付された図面を参照し、本考案の望ましい使用実施形態による圧力炊飯機を詳しく説明する。
【考案を実施するための最良の形態】
【００３３】
図６は、本考案の使用実施形態による圧力炊飯機の断面図で、図７及び図８は上記圧力炊飯機の蒸気排出装置の要部を拡大した断面図で、図９は上記圧力炊飯機の本体からふたが分離した状態を現わした断面図である。
【００３４】
図６ないし図８で見るように、本考案による圧力炊飯機は内部に食べ物が保存される内釜（３２）と、内釜が収容される収容部が形成されて制御部（３１１）及び加熱装置を含む本体（３１）と、内釜（３２）の上面を覆うふた（３３０）を含んでいる。ここで、図９で見るように、本体（３１０）とふた（３３０）は分離可能に具備されることが望ましくて、内釜（３２０）とふた（３３０）の間には密閉構造のためにカバーパッキング（３３３）が具備される。
【００３５】
上記ふた（３３０）には開閉錘（３３１）が乗せられた開閉錘蒸気排出管（３３２）が具備されて、内釜（３２）内部が通常の圧力以上の場合、開閉錘蒸気排出管（３３２）が開放されるようにすることが望ましい。さらに、本体（３１０）とふた（３３０）の片側を連結する部分には電気的な作動または受動で蒸気を排出させる蒸気排出装置（３４０）が具備される。
【００３６】
したがって、食べ物の調理の時には、開閉錘蒸気排出管（３３２）によって内釜（３２０）内部の圧力が調節され、食べ物の調理の時、または終了の後には蒸気排出装置（３４０）によって内釜（３２０）内部の蒸気を排出することができる。このように蒸気排出構造が二重に具備されることで、どの一つの蒸気排出構造が損傷されて作動しないとしても他の一つが作動して過度な圧力上昇による爆発などの事故を防止することができる。
【００３７】
さらに、蒸気排出装置（３４０）は内釜（３２０）内部の圧力と関係なく制御部（３１１）の制御にしたがって蒸気が排出されることで圧力調理だけでなく非圧力調理も可能になる。
【００３８】
詳しくは、蒸気排出装置（３４０）は補助カバー部（３５０）、伝達部材（３６６）、レバー（３６０）、そしてプランジャー（３６３）を含んでいることが望ましい。
【００３９】
ここで、補助カバー部（３５０）はふた（３３０）の上部片側に具備されるが、内部に空間が形成されるので、補助カバー部（３５０）の片側には選択的な加圧によって前後移動が可能になるように弾性の力が支えられる伝達部材（３６６）が具備される。
【００４０】
また、補助カバー部（３５０）の内部にはレバー（３６０）が回動可能に繋がれ、レバー（３６０）の片側は伝達部材（３６６）の前進/後退に対応して自動的に回動されるよう配置される。このため、補助カバー部（３５０）内側上部で突き出された装着台（３６２）が具備されて、装着台（３６２）の片側に上記レバー（３６０）を回動可能に支える回動軸（３６１）が結合されることが望ましい。
【００４１】
また、プランジャー（３６３）はレバー（３６０）の他側に接触されるが、レバー（３６０）が回動するに伴い内釜（３２０）内部の蒸気が排出されるようにふた（３３０）に具備される蒸気排出管（３５４）を自動的に開閉させるようプランジャー（３６３）は上下方向に連動される。すなわち、伝達部材（２６６）が前進してレバー（３６０）の片側を加圧すればレバー（３６０）が回動し、レバー（３６０）の他側はプランジャー（３６３）を上下に移動させることによってプランジャー（３６３）が蒸気排出管（３５４）を自動的に開閉させる。
【００４２】
さらに、プランジャー（３６３）の下端には蒸気排出管（３５４）と自動的に接触されて密閉させるように伸縮性材質のシーツ部（３７３）が具備されて、プランジャー（３６３）が下降して蒸気排出管（３５４）の密閉の時シーリング性能を安定的に保障することができる。
【００４３】
プランジャー（３６３）とレバー（３６０）の連結関係に関して、レバー（３６０）の片側にはホールが形成されプランジャー（３６３）の上側に十分な長さを持って交差するように形成された上端部がホールに挿入される。これと共に、上端部の上面には上下移動の時、レバー（３６０）の離脱を防止してプランジャー（３６３）下降の時レバー（３６０）と接触されてレバー（３６０）を下降させる固定口（２６８）が結合される。すなわち、上端部の直径はレバー（３６０）のホールより小さく形成されており、レバー（３６０）の片側は上端部に上下方向で所定の間隔を持って拘束されることが望ましい。
【００４４】
一方、補助カバー部（３５０）はふた（３３０）の上部に具備された蒸気排出管（３５４）と対応する部分をカバーするように配置されるが、蒸気排出管（３４０）はふた（３３０）に形成された開口部（３５３）枠にナット（３５５）締結を通じて結合される。また、蒸気排出管（３５４）を通じて排出される蒸気の方向を一方向に誘導するように補助カバー部（３５０）には誘導路（３７１）が形成されるが、誘導路で（３７１）は蒸気が排出される蒸気排出口（３７２）が上側を向くように形成されることが望ましい。よって、高温の蒸気が多方向に排出されることで使用者がやけどをする問題を防止することができる。
【００４５】
ここで、蒸気排出管（３５４）と向き合う部分の補助カバー部（３５０）にはプランジャー（３６３）の移動を誘導するホルダー（３５１）が具備されて、ホルダー（３５１）とプランジャー（３６３）の隙間を通じて蒸気が補助カバー部（３５０）の内側のレバー作動空間に流入されることを防止するようにプランジャー（３６３）の端部とホルダー（３５１）の間にはダイヤフラム（２６５）が介在されることが望ましい。ダイヤフラム（２６５）は柔軟性材質でなっているホルダー（３５１）に固定プレート（３５２）を使って固定されるので、プランジャー（３６３）の上下移動にかかわらず蒸気が補助カバー部（３５０）内側に流入されることを防止して、清潔な状態を維持することができる。このため、ダイヤフラム（３６５）は耐熱性が高いシリコーン材質でなっていることが望ましい。
【００４６】
一方、プランジャー（３６３）は補助カバー部（３５０）に具備されたホルダー（３５１）内側に介在されたプランジャースプリング（３６４）によって蒸気排出管（３５４）が密閉される方向に弾性の力が支えられ、伝達部材（３６６）は伝達部材スプリング（３６７）によってレバーの片側から後退する方向に弾性の力が支えられることが望ましい。
【００４７】
これを通じて、伝達部材（３６６）が加圧されない状態ではプランジャー（３６３）が下降された状態を維持して、図８で見るように、蒸気排出管（３５４）が常時密閉された状態を維持するようになる。
【００４８】
これと別に、伝達部材（３６６）が押された状態に固定されるようにロック装置（不図示）を具備させて非圧力調理を希望する場合には伝達部材（３６６）が押された状態を維持することで蒸気排出管（３５４）が常時開放された状態を維持するようになることもできる。
【００４９】
一方、本体には制御部（３１１）と電気的に連結電線（図６の３１２）によって繋がれ、自動的に直線移動される作動棒（３１４）を持つソレノイド（３１３）が具備されて、作動棒（３１４）は伝達部材（３６６）を自動的に前進/後退させるように向き合って配置されることが望ましい。このように、ソレノイド（３１３）、連結電線（３１２）、そして制御部（３１１）は皆本体（３１０）に具備されるので、ふた（３３０）に別の充電部を具備させる必要がない。
【００５０】
これを通じて、図７で見るように、上記制御部（３１１）によって制御されるソレノイドに電源が供給され、上記作動棒（３１４）が前進されて上記伝達不在（３６６）を通じて上記レバー（３６０）の片側を加圧して回動させれば、上記レバー（３６０）の他端が上昇されながら上記プランジャー（３６３）を上昇させて上記プランジャー（３６３）下端に具備されたシーツ部（３７３）が上記蒸気排出管（３５４）を開放させることができる。
【００５１】
一方、図８で見るように、作動棒（３１４）が後退すればプランジャー（３６３）及びシーツ部（３７３）が下降して蒸気排出管（３５４）を閉鎖する。
【００５２】
以上、前述したように、電気的に作動するソレノイド（３１３）は本体（３１０）に具備される一方、ふた（３３０）にはレバー（３６０）及びプランジャー（３６３）のような単純な部品だけが設置されるので、図９で見るように、ふた（３３０）を本体（３１０）から分離させ、電気的な部品の損傷を心配することなく自由に洗うことができる。
【００５３】
一方、図１０は本考案の使用実施形態による内釜とふたを本体から分離した状態を現わした断面図である。
【００５４】
図１０で見るように、内釜（３２０）の上部にふた（３３０）が結合されたまま本体（３１０）から分離すれば、別途の炊事器具で使われることができる。 
【００５５】
詳しくは、内釜（３２０）を本体（３１０）から分離した状態でふた（３３０）を内釜（３２０）の上部に結合すれば、内釜（３２０）とふた（３３０）の間に具備されたカバーパッキング（図６の３３３）によって内釜（３２０）の内部が密閉される。ここで、内釜（３２０）の下部にガスレンジなどのような別途の加熱装置によって内釜（３２０）内部の食べ物を調理することができる。
【００５６】
さらに、蒸気排出装置（３４０）の伝達部材（３６６）の一端はふた（３３０）に具備された補助カバー部（３５０）の側面で露出するように配置されるので、調理が終了した場合と一緒に使用者が必要な時、伝達部材（３６６）を押すことでプランジャーが上昇されて蒸気排出管が開放されるようにして受動で蒸気を排出させることができる。
【００５７】
これと別に、前述したように伝達部材（３６６）が押された状態に固定されるようにロック装置（不図示）を具備して非圧力調理を遂行するようにすることもできる。
【００５８】
ここで、ふた（３３０）及び内釜（３２０）は結合された状態で本体（３１０）の収容部から分離可能に具備されるので、これを通じて使用の利便性を高めることができる。
【００５９】
一方、上述したような本考案の各実施形態は、本考案の理解を助けるために示したことであり単純に前述した実施形態だけに限られることではなく、本考案は前述した実施形態の技術的な範囲内で多様なバリエーションを含める。
【図面の簡単な説明】
【００６０】
【図１】従来技術による開閉錘が適用された蒸気排出装置を持つ圧力炊飯機の断面図。
【図２】従来技術による開閉錘が適用された蒸気排出装置を持つ圧力炊飯機の要部拡大図。
【図３】従来技術による開閉錘が適用された蒸気排出装置を持つ圧力炊飯機の要部拡大図。
【図４】従来技術によるソレノイドバルブが適用された蒸気排出装置を持つ圧力炊飯機の断面図。
【図５】従来技術によるソレノイドバルブが適用された蒸気排出装置を持つ圧力炊飯機の要部拡大図。
【図６】本考案の使用実施形態による分離型蒸気排出装置が適用された圧力炊飯機の断面図。
【図７】本考案の使用実施形態による分離型蒸気排出装置の開放の際の要部拡大図。
【図８】本考案の使用実施形態による分離型蒸気排出装置の閉鎖の際の要部拡大図。
【図９】本考案の使用実施形態による分離型蒸気排出装置が適用された圧力炊飯機のふたが分離した状態を現わした断面図。
【図１０】本考案の使用実施形態による分離型蒸気排出装置が適用された圧力炊飯機の受動蒸気排出構造を現わした断面図。
【符号の説明】
【００６１】
３１０…本体
３１１…制御部
３１２…連結電線
３１３…ソレノイド
３１４…作動棒
３２０…内釜
３３０…ふた
３３１…開閉錘 
３３２…開閉錘蒸気排出管
３３３…カバーパッキング
３４０…蒸気排出装置
３５０…補助カバー部  
３５１…ホルダー
３５２…固定プレート
３５３…開口部
３５４…蒸気排出管
３５５…ナット
３６０…レバー
３６１…回動軸
３６２…装着台 
３６３…プランジャー
３６４…プランジャースプリング
３６５…ダイヤフラム
３６６…伝達部材
３６７…伝達部材スプリング
３６８…固定口
３７０…蒸気排出穴
３７１…ダイヤフラム室
３７２…蒸気排出口
３７３…シーツ部
【図１】
0003124241.tif 000003
【図２】
0003124241.tif 000004
【図３】
0003124241.tif 000005
【図４】
0003124241.tif 000006
【図５】
0003124241.tif 000007
【図６】
0003124241.tif 000008
【図７】
0003124241.tif 000009
【図８】
0003124241.tif 000010
【図９】
0003124241.tif 000011
【図１０】
0003124241.tif 000012